(57)【要約】      （修正有）【課題】和服の帯において、多種多様な帯結びを形成することによって、帯結びの豊富なバリエーションを試し楽しむことができる組合せ帯を提供する。【解決手段】複数の帯を組み合わせて使用し、多様な帯結びを形成することができる和服用の組合せ帯であって、装飾部位となる半幅垂れ部４、着用者の胴に２巻程度巻き付ける部位である半幅手部６及び装飾部位の形状を保たせる機能を備える半幅手先部８の順に続く半幅の帯であって、単体でも半幅帯として使用することができる半幅帯本体２と、全幅の帯であって、名古屋仕立てで仕立てられた名古屋帯の垂れの部位と同程度の長さを備え、当該組合せ帯で形成する帯結びの装飾部位となる第一の装飾帯１０と、半幅の帯であって、前記第一の装飾帯１０と同程度の長さを備え、当該組合せ帯で形成する帯結びの装飾部位となる第二の装飾帯１２と、を有することを特徴とする。【選択図】図１
0003182683.tif 000002
【実用新案登録請求の範囲】
【請求項１】
複数の帯を組み合わせて使用することによって、多様な帯結びを形成することができる和服用の組合せ帯であって、
単体で使用するときに装飾部位となる半幅垂れ部、着用者の胴に２巻程度巻き付ける部位である半幅手部及び装飾部位の形状を保たせる機能を備える半幅手先部の順に続く半幅の帯であって、単体でも半幅帯として使用することができる半幅帯本体と、
全幅の帯であって、名古屋仕立てで仕立てられた名古屋帯の垂れの部位と同程度の長さを備え、当該組合せ帯で形成する帯結びの装飾部位となる第一の装飾帯と、
半幅の帯であって、前記第一の装飾帯と同程度の長さを備え、当該組合せ帯で形成する帯結びの装飾部位となる第二の装飾帯と、を有することを特徴とする組合せ帯。
【請求項２】
前記半幅帯本体、前記第一の装飾帯及び前記第二の装飾帯が、表裏異模様であることを特徴とする請求項１に記載の組合せ帯。
【考案の詳細な説明】
【技術分野】
【０００１】
和服用の帯の技術に関するものであって、単体でも半幅帯として使用することができる帯と、全幅及び半幅の装飾用帯とを組み合わせて使用することによって、多様な帯結びの形成を可能とする技術に関する。
【背景技術】
【０００２】
半幅帯とは、お太鼓用の帯幅が八寸であるところ、帯幅がその半分である帯のことをいい、手軽に結ぶことができるため、和服の初心者であっても、比較的容易に着用することができるというメリットを備える。基本的に半幅帯は、普段着用の帯として使用され、礼装又は準礼装として着用したりすることはない。
【０００３】
一方、着用を容易にするなどの目的で、和服用の帯体を複数のパーツにより構成した発明・考案について、盛んに提案がなされている。例えば、特許文献１では、３本帯のセットが開示され、特許文献２乃至４では、長さの異なる帯のセットが開示されている。
【先行技術文献】
【特許文献】
【０００４】
【特許文献１】実用新案登録第３０５１７０４号公報
【特許文献２】実開平３−３４０１６号公報
【特許文献３】実開昭６１−１７６２１６号公報
【特許文献４】実公昭３０−４２２８号公報
【考案の概要】
【考案が解決しようとする課題】
【０００５】
しかしながら、上記の従来技術においては、和服の帯において、多種多様な帯結びを形成することによって、帯結びの豊富なバリエーションを試し楽しむことができないという問題点があった。
【０００６】
そこで、本考案では、上記問題点に鑑み、和服の帯において、多種多様な帯結びを形成することによって、帯結びの豊富なバリエーションを試し楽しむことができる組合せ帯を提供することを目的とする。
【課題を解決するための手段】
【０００７】
開示する組合せ帯の一形態は、複数の帯を組み合わせて使用することによって、多様な帯結びを形成することができる和服用の組合せ帯であって、単体で使用するときに装飾部位となる半幅垂れ部、着用者の胴に２巻程度巻き付ける部位である半幅手部及び装飾部位の形状を保たせる機能を備える半幅手先部の順に続く半幅の帯であって、単体でも半幅帯として使用することができる半幅帯本体と、全幅の帯であって、名古屋仕立てで仕立てられた名古屋帯の垂れの部位と同程度の長さを備え、当該組合せ帯で形成する帯結びの装飾部位となる第一の装飾帯と、半幅の帯であって、前記第一の装飾帯と同程度の長さを備え、当該組合せ帯で形成する帯結びの装飾部位となる第二の装飾帯と、を有することを特徴とする。
また、開示する組合せ帯の一形態は、上記構成に加え、前記半幅帯本体、前記第一の装飾帯及び前記第二の装飾帯が、表裏異模様であることを特徴とする。
【考案の効果】
【０００８】
開示の組合せ帯は、和服の帯において、多種多様な帯結びを形成することによって、帯結びの豊富なバリエーションを試し楽しむことができる。
【図面の簡単な説明】
【０００９】
【図１】本実施の形態に係る組合せ帯の全体を示す図である。
【図２】本実施の形態に係る組合せ帯の使用方法の一例を示す図である。
【図３】本実施の形態に係る組合せ帯（半幅帯本体＋第一の装飾帯）を利用した帯結びの例を示す図である。
【図４】本実施の形態に係る組合せ帯（半幅帯本体＋第二の装飾帯）を利用した帯結びの例を示す図である。
【図５】本実施の形態に係る組合せ帯（半幅帯本体＋第一の装飾帯＋第二の装飾帯）を利用した帯結びの例を示す図である。
【考案を実施するための形態】
【００１０】
図面を参照しながら、本考案を実施するための形態について説明する。
（本実施の形態に係る組合せ帯の構造）
【００１１】
図１を用いて、本実施の形態に係る組合せ帯１の構造について説明する。図１は、組合せ帯１の全体を示す図であり、（ａ）で半幅帯本体２を示し、（ｂ）で第一の装飾帯１０を示し、（ｃ）で第二の装飾帯１２を示している。なお、組合せ帯１は、和服用の帯である。
図１で示すように、組合せ帯１は、半幅帯本体２、第一の装飾帯１０、第二の装飾帯１２を有する。
【００１２】
半幅帯本体２は、半幅（帯幅が四寸）の和服用の帯であって、半幅垂れ部４、半幅手部６、半幅手先部８を有し、半幅垂れ部４の次に半幅手部６が続き、半幅手部６の次に半幅手先部８が続く構造である。半幅帯本体２は、第一の装飾帯１０及び第二の装飾帯１２と組み合わせることなく、単独でも使用することができ、その場合、半幅帯本体２の機能及び用途は、一般的な半幅帯と同じである。
【００１３】
半幅垂れ部４は、半幅帯本体２を単体で使用するとき、及び、組合せ帯１の構成要素として使用するとき、帯の装飾となる（帯結びをなす）部位である。半幅垂れ部４は、組合せ帯１を着用したとき、着用者の背面に位置する部位でもあり、着用方法によって表面に現れたり現れなかったりする。
【００１４】
半幅手部６は、組合せ帯１の着用者の胴に二巻き程度巻き付けて使用する部位であり、「胴」と呼ばれることもある。半幅手部６は、組合せ帯１を着用したとき、着用者の前面に現れる部位でもある。
【００１５】
半幅帯手先部８は、半幅帯本体２を単体で使用するとき、及び、組合せ帯１の構成要素として使用するとき、帯の装飾部位の形状をホールドする（維持させる）機能を有する。
【００１６】
また、半幅帯本体２は、標準的には、帯幅が約１５ｃｍ、帯全体の長さが約３８０ｃｍに仕立てられ、その場合、半幅垂れ部４の長さが約１５０ｃｍ、半幅手部６の長さが約１８０ｃｍ、半幅手先部８が長さは約５０ｃｍとなる。
【００１７】
第一の装飾帯１０は、全幅（帯幅が八寸）の和服用の帯であって、組合せ帯１において形成される帯結びの装飾をなす部位である。第一の装飾帯１０の長さは、名古屋仕立てで仕立てられた名古屋帯の垂れの部位と同程度の長さ（約９０ｃｍ）である。第一の装飾帯１０は、単体では使用せず、半幅帯本体２と組み合わせて使用することにより、その機能を発揮する。
【００１８】
第二の装飾帯１２は、半幅（帯幅が四寸）の和服用の帯であって、組合せ帯１において形成される帯結びの装飾をなす部位である。第二の装飾帯１２の長さは、第一の装飾帯１０と同程度の長さ（約９０ｃｍ）である。第二の装飾帯１２は、単体では使用せず、半幅帯本体２と組み合わせて使用することにより、その機能を発揮する。
【００１９】
組合せ帯１は、半幅帯本体２、第一の装飾帯１０、第二の装飾帯１２を適宜組み合わせて使用し、様々な形状の帯結びを形成することによって、帯結びの豊富なバリエーションを試し楽しむことができる。
【００２０】
なお、半幅帯本体２、第一の装飾帯１０及び第二の装飾帯１２は、リバーシブル、つまり、表裏が異模様に仕立てられていても良い。こうすることによって、組合せ帯１は、表と裏で、二通りの帯柄（帯布の柄）を楽しむことができる。
（本実施の形態に係る組合せ帯の使用方法）
【００２１】
図２乃至５を用いて、本実施の形態に係る組合せ帯１の使用方法について説明する。図２は、半幅帯本体２と第一の装飾帯１０とを組み合わせて、お太鼓結びを形成する場合の着用方法を示す図である。また、図３乃至５は、組合せ帯１で形成される帯結びのバリエーションを例示する図である。
【００２２】
はじめに図２を用いて、組合せ帯１を用いて形成する帯結びの一例として、半幅帯本体２と第一の装飾帯１０とで基本的なお太鼓結びを形成する場合の組合せ帯１の巻き方を説明する。
【００２３】
図２（ａ）で示すように、着用者は、胴の部分に半幅帯本体２を三回巻いて、一結びする。通常、半幅帯は、着用者の胴部に二回巻くのだが、そうすると半幅垂れ部４が余り過ぎるため、半幅帯本体２は、着用者の胴部に三回巻くことにする。
【００２４】
図２（ｂ）で示すように、次に、着用者は、半幅手先部８をくるくると巻き、それを結び目と背中の間に挿入し、お太鼓の台となる部位を形成する。このとき、半幅垂れ部４は除けておく。
図２（ｃ）で示すように、次に、着用者は、第一の装飾帯１０でお太鼓を形成する。
図２（ｄ）で示すように、次に、着用者は、除けておいた半幅垂れ部４を、第一の装飾帯１０で形成したお太鼓の中に挿し入れ、お太鼓の形状を維持させる。
【００２５】
上記のように、組合せ帯１の構成要素である半幅帯本体２及び第一の飾り帯１０を組み合わせて着用することによって、一般的なお太鼓結びを形成することができる。
【００２６】
ただし、組合せ帯１は、半幅帯本体２に第一の装飾帯１０を組み合わせて使用する場合のみならず、半幅帯本体２に第二の装飾帯１２を組み合わせて使用しても良く、さらには、半幅帯本体２に第一の装飾帯１０及び第二の装飾帯１２を組み合わせて使用しても良い。また、何れの組合せについても、各帯２、１０、１２の結び方（各帯２、１０、１２の使用方法）を変化させることによって、組合せ帯１は、多様なバリエーションの帯結びを形成することができる。
【００２７】
例えば、図３で示すように、半幅帯本体２と第一の装飾帯１０とを組み合わせた場合、（ａ）お太鼓結びの他、（ｂ）角出し風結び、（ｃ）リボン角出し風結び、（ｄ）リボン乗せ太鼓結び、（ｅ）全幅文庫結び、（ｆ）全幅だらり風結び、（ｇ）全幅立て矢風結びなどの帯結びを形成することができる。
【００２８】
また、図４で示すように、半幅帯本体２と第二の装飾帯１２とを組み合わせた場合、（ａ）花乗せカルタ結び、（ｂ）羽根たくさん半幅文庫結び、（ｃ）羽根たくさん１／４幅文庫結び、（ｄ）二枚羽根リボン返し結び、（ｅ）羽根たくさんリボン返し結び、（ｆ）二枚羽根角出し風結びなどの帯結びを形成することができる。
【００２９】
また、図５で示すように、半幅帯本体２と第一の装飾帯１０と２第二の装飾帯１２とを組み合わせた場合、（ａ）大きなリボン乗せ太鼓結び、（ｂ）リボンたくさん乗せ太鼓結び、（ｃ）花飾り乗せ全幅文庫結び、（ｄ）リボン乗せ全幅だらり風結び、（ｅ）飾り付立て矢風結びなどの帯結びを形成することができる。
なお、図３乃至５で示した帯結びは、組合せ帯１を使用してできる帯結びの例示であって、組合せ帯１は、その他種々の帯結びを形成することができる。
（総括）
【００３０】
組合せ帯１は、礼装の袋帯やカジュアルな名古屋帯と同様に、着用者の前面に半幅である半幅帯本体２が現れるように着用し、着用者の背面に現れる帯結びに、装飾機能を備えた半幅垂れ部４や飾り結び用の第一の装飾帯１０及び第二の装飾帯１２が現れるように着用する。このように、組合せ帯１は、着用者背面の装飾部位において、半幅垂れ部４、第一の装飾帯１０及び第二の装飾帯１２の３つの分離された帯を用いて帯結びを形成することができるため、帯結びの豊富なバリエーションを試し楽しむことができる。
【００３１】
一方、垂れ、手及び手先が分離されている付け帯では、帯結び（装飾）となる部位は「垂れ」１つであるのに対し、組合せ帯１では、帯結び（装飾）となる部位が「半幅垂れ部４」、「第一の装飾帯１０」及び「第二の装飾帯１２」と３つ存在することに基づき、帯結びのバリエーションを豊富にすることができる。
【００３２】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００３３】
１    和服用の組合せ帯
２    半幅帯本体
４    半幅垂れ部
６    半幅手部
８    半幅手先部
１０  第一の装飾帯
１２  第二の装飾帯
【図１】
0003182683.tif 000003
【図２】
0003182683.tif 000004
【図３】
0003182683.tif 000005
【図４】
0003182683.tif 000006
【図５】
0003182683.tif 000007